(57)【要約】      （修正有）【課題】旧製品製造の際に存在する欠点を有効に克服でき、構造が簡単で、生産加工に便利であるモータ磁性鋼と磁気回路との組合せ構造を提供する。【解決手段】磁気回路と、支持鉄心と、固定端板と、回転軸とからなる、モータ磁性鋼と磁気回路との組合せ構造に関し、磁気回路の外囲において磁極数により相応数量の蟻溝が設置され、内円表面において設計された、ラジアルトルクを受けるＶ字型歯が、鉄心の外径に支持され、支持アームは複数等分に設置され、固定端板に設置される磁極数と同様の本数のダブル蟻継ぎロックシートが端板の外径に排列され、磁気遮断シートが非磁性材料でモールドによりＶ字状に加工される。【選択図】図１
2012115122.tif 000002
【特許請求の範囲】
【請求項１】
磁気回路と、支持鉄心と、固定端板と、磁気遮断シートと、磁性鋼と、回転軸とからなる、モータ磁性鋼と磁気回路との組合せ構造において、
磁気回路の外囲において磁極数により相応数量の蟻溝が設置され、内円表面において設計された、ラジアルトルクを受けるＶ字状歯が、鉄心の外径に支持され、支持アームは複数等分に設置され、ラジアルトルクを受けるようにアームの端部にＶ字状溝が設置され、固定端板に設置される磁極数と同様の本数のダブル蟻継ぎロックシートが端板の外径に排列され、磁気遮断シートは非磁性材料でモールドによってＶ字状に加工される、ことを特徴とするモータ磁性鋼と磁気回路との組合せ構造。
【請求項２】
磁気回路の外円に複数等分の蟻溝が設置される、ことを特徴とする請求項１に記載のモータ磁性鋼と磁気回路との組合せ構造。
【請求項３】
固定端板の上の複数等分のシートはダブル蟻溝の設計を用いられ、固定端板の上シャフトスリーブの内壁はバックストップ巻きバネの設計を用いられ、両端の固定端板が組合せられた後、両蟻溝の間に充填剤の注入溝が保留される、ことを特徴とする請求項１に記載のモータ磁性鋼と磁気回路との組合せ構造。
【請求項４】
該磁気遮断シートのＶ字状の厚さは１．０ｍｍを超える、ことを特徴とする請求項１に記載のモータ磁性鋼と磁気回路との組合せ構造。
【発明の詳細な説明】
【技術分野】
【０００１】
本発明は永久磁石モータ用ローターの構造に関し、特にモータ磁性鋼と磁気回路との組合せ構造に関する。
【背景技術】
【０００２】
現行技術においては、磁性鋼はローターの磁極として非常によく見られ、磁性鋼を固着するため、従来の方法は大体２種類ある。第１種は貼着方式を採用し、接着剤によって磁性鋼とローターの鉄心を貼着する。該技術方法による装着の既知の欠点は下記通りである。１．接着剤が均等に塗布されなく、磁性鋼の表面が完全に洗浄されなく、固化時間が不足であり、固化温度が適当に把握できなく、信頼性が悪く、温度が高過ぎ又は低すぎることにより接着剤が失効し、磁性鋼が脱落し、モータが壊れることによって酷い結果をもたらす。第２種はワンステップ高分子射出を採用する。該方法の既知の欠点は下記通りである。射出成形機と極めて複雑な成形モールドとを使用する必要があるため、設備とモールドの投入コストが極めて高い。しかし主な問題は、成形後一部の磁性鋼に隠形割れ目が出て、厳重に磁気性能に影響し、組み立て後のローターがもし悪い環境下に使用すると、高低温衝撃試験が必要となり、合格率が低いことである。上記２方法ともに加工技術の難度が高く、位置精度を保証することができなく、組み立て後ローターの平衡精度が低いなどの欠点を有する。ローターの不平衡を除去するため増える校正作業のコストが高く、市場において高品質の永久磁石モータの価格が高い傾向は形成される。
【発明の概要】
【０００３】
本発明はモータ磁性鋼と磁気回路との組合せ構造を提供することにより旧製品に存在する欠点を克服することを目的とし、下記の通り実現される。磁気回路と、支持鉄心と、固定端板と、磁気遮断シートと、磁性鋼と、回転軸とからなる、モータ磁性鋼と磁気回路との組合せ構造は、磁気回路の外囲において磁極数により相応数量の蟻溝が設置され、内円表面において設計された、ラジアルトルクを受けるＶ字状歯が、鉄心の外径に支持され、支持アームは複数等分に設置され、ラジアルトルクを受けるようにアームの端部にＶ字状溝が設置され、固定端板に設置される磁極数と同様の本数のダブル蟻継ぎロックシートが端板の外径に排列され、磁気遮断シートは非磁性材料でモールドによってＶ字状に加工される。
【０００４】
磁性鋼の形状は電磁気設計の需要により定められ、回転軸は顧客の要求により設計される。上記の各構造部品から新規発明の磁性鋼のローター構造が構成される。該発明は磁性鋼の校正免除を保証し、且つ磁性鋼と磁気回路との組合せが便利で、投入コストも低く、隠れた問題がないほど信頼でき、組み合わされた磁性鋼のローターは厳格な超速試験と高低温衝撃試験とをパスすることを保証でき、真の意味でモータの耐用性を保証する。
【図面の簡単な説明】
【０００５】
【図１】本発明の磁気回路部品である。
【図２】本発明の支持鉄心である。
【図３】本発明の固定端板である。
【図４】本発明の磁気遮断シートである。
【図５】本発明の磁性鋼である。
【図６】本発明の回転軸である。
【図７】本発明の構造見取り図である。
【発明を実施するための形態】
【０００６】
以下図面を参照しながらさらに説明する。
【０００７】
本発明のモータ用磁性鋼と磁気回路との組合せ構造は図１に示したように、磁気回路の外円表面に蟻溝（図１のａ）が設置され、溝毎に固定端板上のダブル蟻ほぞのうちの１つの蟻ほぞが挿入され、磁性鋼を組み立てるように磁気回路の外円表面において磁極数と同様数量の磁性鋼カビティが形成される。内孔の表面に設置されるＶ字状歯（図１のｂ）はローターがラジアル分力を受けることと位置決めとに用いられる。相隣する両Ｖ字状歯の中間に位置決め用の長方形の凸型台（図１のｃ）が設置され、位置決めの役割も立ち、一部のラジアル分力を受けることもできる。図２に示した支持鉄心の外径に設置される支持アームのアーム端末のＶ字状溝は、主にローターのラジアルトルクを受けることに用いられ、磁気遮断シートを挿し入れた後、磁束が鉄心へ流れることを阻害でき、磁気抵抗を低減でき、ラジアル位置決めの役割も有する。図３に示した固定端板の外径円周に設置されるダブル蟻ほぞ（図３のａ）は、１端の蟻ほぞが磁気回路の蟻溝に挿入され、蟻継ぎシートを係止し、もう１端の蟻ほぞが磁性鋼が磁気回路に貼り付けられるように相隣する両磁性鋼を係止する。固定端板の内側平面において、磁気回路の内壁形状と支持鉄心の外部形状によって中空凸型台（図３のｂ）が設置され、磁気回路と支持アームとの隙間を充填し、ラジアルトルクを受けることと位置決めとの役割が立つ。両端の固定板の厚さは１ｍｍに設置され、磁性鋼の軸方向滑動を阻止できる。固定端板の外側に一体化のシャフトスリーブを有し、回転軸との組合せによって固定板を安定させ、磁気回路が組み立てた後に両端が軸方向において移動できないことを保証するようにシャフトスリーブの内壁にバックストップ巻きバネ（図３のｃ）が設置される。図４に示した磁気遮断シートは、磁気回路と支持鉄心の中間に取り付けられ、主に磁気回路中の磁束が支持鉄心へ流れることを阻害することによって磁気抵抗を減少させ、モータの鉄損を低減することに用いられる。磁気回路と支持鉄心との隙間に従って適した厚さの磁気遮断シートを作成し、磁気回路の外円と回転軸との同軸度を保証でき、ローターの平衡精度を高め、充填剤を注入した後磁気回路と支持鉄心との間の軸方向推力が増える。具体的に実施するとき、図７に示したモータ用磁性鋼と磁気回路との組合せ構造の取り付け方法は下記の通りである。
【０００８】
１、図７の方法通り各構成部品を順序により組合せ、精密プレスを介して平らに押圧させればいい。
【０００９】
２、組み立てられたローターの同軸度を保証するように、組み立てるとき、磁気遮断シートを手で推し入れる。
【００１０】
３、充填剤の注入のため、固定端板を組み立てるとき、両端の蟻継ぎシートの間に３〜１０ミリのピッチを残す。
【００１１】
４、ローターを組み立てた後、あらかじめ残した充填槽に充填剤を注入し、３０分後に組み立てに入ることができる。
【符号の説明】
【００１２】
１  固定端板
２  固定端板
３  回転軸
４  支持鉄心
５  磁気回路部品
６  磁性鋼
７  磁気遮断シート
【図１】
2012115122.tif 000003
【図２】
2012115122.tif 000004
【図３】
2012115122.tif 000005
【図４】
2012115122.tif 000006
【図５】
2012115122.tif 000007
【図６】
2012115122.tif 000008
【図７】
2012115122.tif 000009